(57)【要約】【課題】燃焼室の端部への高圧タービンノズルの最適化された取り付けを達成する。【解決手段】ガスタービンの燃焼室１０の内側および外側壁部１２、１３の下流側端部部分１２ａ、１３ａは、高圧タービンノズル２０のベーン２１の内側および外側プラットフォーム２２、２３それぞれに対して押し付けられ、且つそれらは、実質的にプラットフォームの下流側端部までその上に延び、燃焼室壁部の下流側端部部分１２ａ、１３ａにタービンノズル２０を機械的に結合するための手段は、燃焼室壁部の端部部分に形成された孔部を通過する、タービンノズルのベーンのエアフォイル２１にはめ込まれる結合ネジ２５、２７によって形成される。したがって、燃焼室壁部の下流側端部部分は、燃焼室とノズルとの間の境界面における、またノズルに沿う、ガス流からの漏洩を防止するのに寄与する。【選択図】      図１
2006002764.tif 000002
【特許請求の範囲】
【請求項１】
・  内側壁部および外側壁部を有する環状燃焼室（１０）と、
・  燃焼室の軸線と一致する軸線のまわりに分配される複数の固定ベーンを有する高圧タービンノズル（２０）であって、固定ベーンは、並置されたリングセクタの形態で内側および外側プラットフォーム（２２、２３）に固定されたエアフォイル（２１）を有し、内側面が、間に燃焼室から到来するガス流のためのタービンノズルを通る流路を画定する、高圧タービンノズル（２０）と、
・  タービンノズルを燃焼室の内側および外側壁部の下流側端部部分に機械的に結合するための結合手段とを備えるガスタービンであって、
・  燃焼室（１０）の内側および外側壁部（１２、１３）の下流側端部部分（１２ａ、１３ａ）が、プラットフォームの下流側端部まで実質的にずっと、タービンノズルのベーンの内側および外側プラットフォーム（２２、２３）それぞれに対して押し付けられ、
・  結合手段が、実質的に径方向の結合ネジ（２５、２７）によって形成され、該結合ネジが、タービンノズルのベーンエアフォイル（２１）にはめ込まれ、燃焼室の内側および外側壁部の端部部分に形成される孔部を通過することを特徴とする、ガスタービン。
【請求項２】
燃焼室（１０）およびタービンノズル（２０）によって構成されるアセンブリが、それぞれ内側および外側フェルール（５０、６０）を用いて内側および外側金属シュラウド（３０、４０）との間に保持され、内側および外側フェルールが、前記結合ネジ（２５、２７）を用いて、燃焼室およびタービンノズルによって形成されるアセンブリに結合される端部部分（５２、６２）を有する、請求項１に記載のガスタービン。
【請求項３】
燃焼室（１０）の内側壁部（１２）の下流側端部部分（１２ａ）が、ベーンの内側プラットフォーム（２２）と、燃焼室の内側壁部の端部部分の外側面に対して押圧する内側リング（２４）との間に締め付けられることを特徴とする、請求項１または２に記載のガスタービン。
【請求項４】
内側フェルール（５０）の前記端部部分（５２）が、内側リング（２４）の外側面に対して押圧することとなることを特徴とする、請求項３に記載のガスタービン。
【請求項５】
燃焼室（１０）の外側壁部（１３）の下流側端部部分（１３ａ）が、ベーンの外側プラットフォーム（２３）と、燃焼室の外側壁部の下流側端部部分の外側面に対して押圧する外側リング（２６）との間に締め付けられることを特徴とする、請求項１または２に記載のガスタービン。
【請求項６】
外側フェルールの前記端部部分（６２）が、外側リング（２６）の外側面に対して押圧することとなることを特徴とする、請求項５に記載のガスタービン。
【請求項７】
内側リング（２４）が、内側金属シュラウド（３０）の環状径方向フランジ（３６）と協働する環状径方向フランジ（２８）に固定され、燃焼室（１０）の内側壁部とタービンノズル（２０）の下流側端部の近傍における内側金属シュラウド（３０）との間に延びる空間（３３）を閉じる環状シーリングガスケット（３７）を環状径方向フランジ間に保持することを特徴とする、請求項３または４に記載のガスタービン。
【請求項８】
外側リング（２６）が、外側金属シュラウド（４０）と一体にされた環状径方向フランジ（４５）と協働する環状径方向フランジ（２９）に固定され、燃焼室（１０）の外側壁部とタービンノズル（２０）の下流側端部の近傍における外側金属シュラウド（４０）との間に延びる空間（４３）を閉じる環状シールガスケット（３８）を環状径方向フランジの間に保持することを特徴とする、請求項５または６に記載のガスタービン。
【請求項９】
ロック手段も設けられ、タービンノズルの固定ベーンと、燃焼室（１０）から到来し内側および外側フェルール（５０、６０）に送られるガス流との間の相互作用によって誘起される回転力を回避するように、タービンノズル（２０）が回転するのを防止することを特徴とする、請求項１から８のいずれか一項に記載のガスタービン。
【請求項１０】
ロック手段が、間に環状シールガスケット（３７、３８）が保持される対をなす径方向フランジ（２４と３６、２９と４５）の少なくとも一対の回転作用に相互ロックを与える要素を備えることを特徴とする、請求項７、８、および９に記載のガスタービン。
【発明の詳細な説明】
【技術分野】
【０００１】
本発明は、特に飛行機エンジンまたは産業用タービンのための、ガスタービンに関する。本発明は、より詳細には、燃焼室の下流側端部への高圧（ＨＰ）タービンノズルの耐漏洩取り付けに関する。
【背景技術】
【０００２】
環状燃焼室を有するガスタービンにおいて、燃焼室の下流側端部部分に機械的に結合することによって、高圧タービンノズルを取り付けることについての提案が既になされている（本出願全体を通して、「上流側」および「下流側」なる用語は、燃焼室内で生成される燃焼ガスの流れ方向に関して使用される）。燃焼室および高圧タービンノズルによって形成されるアセンブリは、それから、内側および外側金属シュラウドに結合された結合フェルールによって支持されていても良い。
【０００３】
そのような配置は、燃焼室および高圧タービンノズルが、内側および外側金属シュラウドに別個に結合される配置と比較して、燃焼室とタービンノズルとの間の境界面におけるガス流に関してより良好な連続性を与え、それゆえ前記境界面におけるシーリングを提供するのをより容易にさせる。
【０００４】
その下流側端部部分に一体化されたタービンノズルを伴う燃焼室は、仏国特許第２８２５７８７号に示されている。燃焼室は、セラミック基質複合（Ｃｅｒａｍｉｃ  Ｍａｔｒｉｘ  Ｃｏｍｐｏｓｉｔｅ、ＣＭＣ）材料から作られており、燃焼室および高圧タービンノズルを備えるアセンブリは、金属とセラミック複合材料との熱膨張係数の間の差異を適応させることを可能とさせるように、セクタの形態をなす可撓性金属結合フェルールを用いて、内側金属シュラウドと外側金属シュラウドとの間に保持される。
【０００５】
タービンノズルは、並置されたリングセクタの形態で、内部および外部プラットフォームに固定された複数の固定ベーンを備え、燃焼室から到来するガス流のためのタービンノズルを通る流路を画定する内側面を有する。ノズルと燃焼室との間の機械的結合は、ナットおよびねじ切りされたロッドを用いて提供され、ナットおよびねじ切りされたロッドは、ノズルベーンのプラットフォームに固定され、且つ燃焼室の内側および外側壁部の下流側端部部分に形成された切り欠き部に係合する。
【０００６】
したがって、燃焼室とタービンノズルとの間の境界面に、シーリングが提供され得る。それにもかかわらず、ベーンプラットフォーム間の境界面におけるタービンノズル内の流れをシーリングする必要が残ったままである。
【特許文献１】仏国特許第２８２５７８７号明細書
【発明の開示】
【発明が解決しようとする課題】
【０００７】
本発明の目的は、燃焼室とタービンノズルとの間の境界面におけるだけでなく、ノズルに沿っても、ガス流からの漏洩を防止することの問題を解決することを簡単にさせて、燃焼室の端部への高圧タービンノズルの最適化された取り付けを達成することにある。
【課題を解決するための手段】
【０００８】
この目的は、
・  内側壁部および外側壁部を有する環状燃焼室と、
・  燃焼室の軸線と一致する軸線のまわりに分配される複数の固定ベーンを有する高圧タービンノズルであって、固定ベーンは、並置されたリングセクタの形態で内側および外側プラットフォームに固定されたエアフォイルを有し、内側面は、間に燃焼室から到来するガス流のためのタービンノズルを通る流路を画定する、高圧タービンノズルと、
・  タービンノズルを燃焼室の内側および外側壁部の下流側端部部分に機械的に結合するための結合手段とを備えるガスタービンによって達成され、このガスタービンにおいては、本発明に従って、
・  燃焼室の内側および外側壁部の下流側端部部分は、プラットフォームの下流側端部まで実質的にずっとタービンノズルのベーンの内側および外側プラットフォームそれぞれに対して押し付けられ、
・  結合手段は、実質的に径方向の結合ネジによって形成され、該結合ネジが、タービンノズルのベーンエアフォイルにはめ込まれ、燃焼室の内側および外側壁部の端部部分に形成される孔部を通過する。
【０００９】
したがって、シーリングは、燃焼室の内側および外側壁部の端部部分によって、タービンノズルの内側プラットフォーム間および外側プラットフォーム間に施され、これら端部部分には、孔部が設けられ、該孔部は、ノズルのエアフォイルと位置合わせされた結合ネジを通し、且つ場合によっては高圧ノズルに向けて冷却空気を通すためのものであるが、他の点では周囲の連続性を与える。
【００１０】
有利には、燃焼室およびタービンノズルによって構成されるアセンブリが、それぞれ内側および外側フェルールを用いて、内側金属シュラウドと外側金属シュラウドとの間に保持され、内側および外側フェルールは、前記結合ネジを用いて、燃焼室およびタービンノズルによって形成されるアセンブリに結合される端部部分を有している。
【００１１】
好ましくは、燃焼室の内側壁部の下流側端部部分は、ベーンの内側プラットフォームと、燃焼室の内側壁部の端部部分の外側面に対して押圧する内側リングとの間に締め付けられており、内側フェルールの前記端部部分は、それから、場合によっては、内側リングの外側面に対して押圧することとなる。有利には、内側リングは、内側金属シュラウドの環状径方向フランジと協働する環状径方向フランジに固定され、燃焼室の内側壁部とタービンノズルの下流側端部の近傍における内側金属シュラウドとの間に延びる空間を閉じる環状シーリングガスケットをそれら環状径方向フランジの間に保持する。
【００１２】
また、好ましくはそして同様の態様で、燃焼室の外側壁部の下流側端部部分は、ベーンの外側プラットフォームと、燃焼室の外側壁部の下流側端部部分の外側面に対して押圧する外側リングとの間に締め付けられており、外側フェルールの前記端部部分は、それから、場合によっては、外側リングの外側面に対して押圧することとなる。有利には、外側リングは、外側金属シュラウドと一体化された環状径方向フランジと協働する環状径方向フランジに固定され、燃焼室の外側壁部とタービンノズルの下流側端部の近傍における外側金属シュラウドとの間に延びる空間を閉じる環状シーリングガスケットをそれら環状径方向フランジの間に保持する。
【００１３】
本発明の他の特徴によれば、タービンノズルの固定ベーンと、燃焼室から到来し内側および外側フェルールに送られるガス流との間の相互作用によって誘起される回転力を回避するように、タービンノズルが回転するのを防止するために、ロック手段も設けられている。
【００１４】
有利には、ロック手段は、それらの間に環状シーリングガスケットが保持される、対をなす径方向フランジの少なくとも一対に作用して、相互ロックを与える要素を備える。
【００１５】
本発明は、非限定的な指摘を介して、そして添付図面を参照して与えられる以下の説明を読むことによって、より良く理解されるであろう。
【発明を実施するための最良の形態】
【００１６】
図１は、環状燃焼室１０と、燃焼室１０の下流側端部部分に機械的に結合された高圧タービンノズル２０と、内側環状金属シュラウド３０および外側環状金属シュラウド４０と、燃焼室１０およびノズル２０により形成されるアセンブリを、シュラウド３０と４０との間に画定される空間内に保持する結合フェルール５０および６０とを備える、ガスタービンの一部分を示す軸方向半断面図である。
【００１７】
燃焼室１０は、同一の軸線１１を共有する内部環状壁部１２および外部環状壁部１３、ならびに壁部１２および１３に固定される上流側端部壁部１４によって画定される。従来の態様では、端部壁部１４は、燃料および酸化剤が燃焼室内に噴射されるのを可能とするインジェクタを受け入れるべく、軸線１１のまわりに分配される一連のオリフィス１４ａを呈する。
【００１８】
タービンの入口部分を構成する、高圧タービンノズル２０は、軸線１１のまわりに角度分布される複数の固定ベーンを備えている。図２および図３に示されるように、ベーンは、それらの端部において、並置されたリングセクタの形態で内側プラットフォーム２２および外側プラットフォーム２３に固定されたエアフォイル２１を備えている。プラットフォーム２２および２３の内側面は、ノズルを通って流れるガス流のための通路を画定している。各内側および外側プラットフォーム対は、１つ以上のエアフォイルに結合されていても良い。
【００１９】
内側金属シュラウド３０は、それぞれ内方向きに方向付けられたフランジ３１ａおよび３２ａを通してボルト締めによって結合された、２つの部分３１および３２を備えている。同様に、外側金属シュラウド４０は、それぞれ外方向きに方向付けられたフランジ４１ａおよび４２ａを通してボルト締めによって結合された、２つの部分４１および４２から作成されている。それぞれ、燃焼室１０の内側壁部１２と内側シュラウド３０との間の空間３３、および燃焼室１０の外側壁部１３と外側シュラウド４０との間の空間４３は、両方とも、燃焼室１０のまわりを流れる二次冷却空気（矢印ｆ）の流れを運ぶ。
【００２０】
図示された例においては、内部結合フェルール５０は、フランジ３１ａと３２ａとの間に締め付けられ、且つそこにボルト締めされることによって、内側シュラウド３０に結合されているフランジの形態で第１の端部５１を呈する。内部結合フェルール５０の他の端部５２において、フェルール５０は、燃焼室１０の内側壁部１２の下流側端部部分１２ａに結合されている。空間３３を通って延びるフェルール５０の部分は、特に燃焼室１０がＣＭＣから作られているときに、燃焼室１０とシュラウド３０との間の差異のある径方向の膨張に適応させるために必要とされる可撓性を与えるように、実質的にＳ字形状である断面を有して、湾曲形状に形成される。
【００２１】
特に、燃焼室１０がＣＭＣから作られているとき、フェルール５０は、セクタ化されており、すなわちフェルールは、それの端部５２から他の端部５１へ向かって一定の距離にわたって延びる複数のタブ５２ａの形態で、セクタに細分化されている。このセクタ化は、各々端部５２からフェルール５０を貫通して形成された孔部５４へ延びる、タブ５２ａの間のスロット５２ｂによって実現され得て、前記孔部は、二次空気の流れが空間３３を通過するのを可能にするように、軸線１１のまわりに角度分布されている。スロット５２ｂは、円周方向における差異のある膨張に適応させることを可能にさせる。
【００２２】
図示された例においては、結合フェルール６０は、フランジ４１ａと４２ａとの間に締め付けられ且つそこにボルト締めされることによって、外側シュラウド４０に結合されている、フランジの形態での第１の端部６１を有している。結合フェルール６０の他端部６２において、フェルール６０は、燃焼室１０の外側壁部１３の下流側端部部分に結合されている。空間４３を通して延びるフェルールの部分は、特に燃焼室がＣＭＣから作られているときに、シュラウド４０と燃焼室１０との間の差異のある膨張に適応させるために必要とされる可撓性を呈するように、実質的にＶ字形状である断面を有する湾曲形状を有している。ＣＭＣ燃焼室によれば、特に、フェルール６０も、フェルール５０と同様の態様で複数のタブ６２ａに細分化されている。したがって、スロット６２ｂは、タブ６２ａの間で、フェルールの端部６２から端部６１に向かって一定の距離にわたって、例えば、二次空気流が空間４３を通過するのを可能にする孔部６４まで、延びる。
【００２３】
燃焼室の壁部が、耐熱性の金属から作られているとき、フェルール５０および６０がセクタ化されることは不必要とされ得る。
【００２４】
当然、フェルール５０の端部５１およびフェルール６０の端部６１は、フランジ３１ａ、３２ａの位置以外のいくつかの位置において、内側シュラウド３０に結合され、かつフランジ４１ａ、４２ａの位置以外のいくつかの位置において、外側シュラウド４０に結合されることも可能である。
【００２５】
燃焼室１０の内側壁部１２は、実質的にその下流側端部まで延びて、プラットフォーム２２の外側面を押圧するその下流側端部部分１２ａを有する。セクタ化された内側リング２４は、燃焼室の内側壁部の端部部分１２ａの外側面を押圧する。リング２４は、任意に、内側プラットフォーム２２に対応する並置されたリングセクタから作られる。リング２４のセクタは、フェルール５０のセクタ化された端部５２がそれを押圧することとなる突出部２４ａを呈する。実質的に径方向の内側結合ネジ２５は、フェルール５０のタブ５２ａに形成された孔部を通過して、突出部２４ａを経由して内側リング２４内へ、且つ燃焼室の内側壁部１２の端部部分１２ａ内へ進み、内側プラットフォーム２２およびベーン２１（図１の詳細を参照）に実質的に径方向に形成されるネジが切られた止まり孔部内にねじ込まれる。結合ネジ２５は、各ベーン２１と位置合わせされ、またはそれらベーンのいくつかのみと位置合わせされて設けられ得る。
【００２６】
同様の態様において、燃焼室１０の外側壁部１３は、実質的にその下流側端部まで延びて、プラットフォーム２３の外側面を押圧するその下流側端部部分１３ａを有している。セクタ化された外側リング２６は、燃焼室の外側壁部の端部部分１３ａの外側面を押圧する。リング２６は、任意に、外側プラットフォーム２３に対応する並置されたリングセクタから作られる。リング２６のセクタは、フェルール６０のセクタ化された端部６２がそれを押圧することとなる突出部２６ａを呈する。実質的に径方向の外側結合ネジ２７は、フェルール６０のタブ６２ａに形成された孔部を通過して、突出部２６ａを経由して外側リング２６内へ、且つ燃焼室の外側壁部１３の端部部分１３ａ内へ進み、外側プラットフォーム２３およびベーン２１（図１の詳細を参照）に実質的に径方向に形成されるネジが切られた止まり孔部内にねじ込まれる。結合ネジ２７は、各ベーン２１に関して、またはそれらベーンのいくつかのみに関して設けられ得る。
【００２７】
可能であれば、内側リング２４および／または外側リング２６は、セクタ化される必要はなく、その場合、それら内側リングおよび外側リングは、単一片としてまたは一緒に溶接された複数の部分として作られ、好ましくは、構成要素の材料が、ほぼ同一である膨張係数を有しているような状況下で作られる。
【００２８】
したがって、タービンノズルの下流側端部への円周方向の連続性を呈することによって、燃焼室壁部の端部部分１２ａおよび１３ａは、内側プラットフォーム２２の間で、且つ外側プラットフォーム２３の間のシーリングを与える。それから、ノズルを通って流れるガス流が漏洩しないことを保証するために、この目的のために従来使用されていたシーリングシースを設置する必要がなく、それによって重量および組み立て時間における節約を達成する。
【００２９】
さらにまた、プラットフォームとリングとの間の燃焼室壁部の端部部分を締め付けることは、タービンノズルに結合される燃焼室の端部を強化し、それは、燃焼室がＣＭＣで作られて且つ若干脆弱である可能性があるときに有利である。
【００３０】
加えて、燃焼室とタービンノズル２０との間の境界面における燃焼室１０の壁部１２および１３の連続性は、ガス流の流れが、この境界面を経由して漏出しないことを確実にすることを可能とする。さらにまた、一次ガス流（矢印Ｆ）の良好な連続性を確実にするために、小さな段差１２ｄおよび１３ｄが、図１に見られ得るように、壁部１２および１３の残部と共に端部部分１２ａと１３ａとの間の結合部に設けられている。したがって、燃焼室から流出する流れは、実質的に不連続性なしに、ノズルを通って流れる流れに合流し得る。
【００３１】
孔部（図示せず）は、プラットフォーム２２および２３を通して形成され、空間３３および４３からノズル２０の固定ベーン２１内へ冷却空気を通すことを可能とするように、燃焼室１０の壁部の端部部分１２ａおよび１３ａに形成されたオリフィスに、リング２４および２６を通って連通する。
【００３２】
有利には、ロック手段は、ノズル２０が回転するのを防止するが、空間３３および４３を通って延びる結合フェルール５０および６０の部分に、周囲方向の力またはせん断力を誘起することなしに、設けられる。
【００３３】
図１から図３の実施形態において、ロック手段は、フィンガ３５によって構成され、フィンガ３５は、内側シュラウド３０に固定され、且つセクタ化されたリング２４に固定されたセクタ化されたフランジ２８に形成される径方向の切り欠き部２８ａ内に挿通される。図示された例においては、フィンガ３５は、軸方向に延び且つ、径方向フランジ３６によってシュラウド３０と一体化されて支持されて、実質的にノズル２０の下流側端部と同一レベルに、軸線１１のまわりに角度分布される。フィンガ３５は、フランジ３６を通って形成される孔部に圧入として、フランジ３６に固定されても良く、またはフランジ３６に溶接されても良い。フランジ２８を形成するセクタ２８ａは、プラットフォーム２２にこのようにして固定される。
【００３４】
空間３３の下流側端におけるシーリングが、オメガ（Ω）タイプのシーリングガスケット３７を用いて提供されることも分かるはずであり、シーリングガスケット３７は、フランジ３６の溝内に保持され、且つフランジ２８の下流側面を押圧する。フランジ２８および３６は、このように、２つの機能を実行し、１つの機能は、シーリングガスケット３７を支持することであり、他の機能は、回転に対してノズルをロックするための手段を支持することである。シーリングガスケット３７は、一組のロックフィンガ３５の外側に設置される。
【００３５】
変形においては、軸方向ロックフィンガが、フランジ２８によって支持され、フランジ３６に形成された止まり孔部のようなハウジング内に挿入されても良い。
【００３６】
外側には、空間４３の下流側端部におけるシーリングが、ストリップガスケット３８によって提供され、ストリップガスケット３８のベースが、環状ハウジング２９ｂに保持され、環状ハウジング２９ｂは、径方向外方に向かって開口しており、且つセクタ化されたリング２６に固定された環状フランジ２９の先端に形成され、且つノズル２０の下流側端部の近傍に、並置された環状セクタ２９ａによって同様に構成される。ガスケット３８は、ハウジング２９ｂの両側のフランジを通過し且つ軸方向に配置されるピン３８ａを用いて保持される。ガスケット３８は、シュラウド４０と一体化されて径方向フランジ４５の上流側面上に、且つノズル２０の下流側端部のレベルに形成される連続環状リブ４５ａを押圧する。
【００３７】
動作においては、燃焼室１０から到来するガスの流れによってノズル２０のベーン２１に作用される力は、ネジ２５およびリング２８を介して、フェルール５０および６０に周囲方向の力が印加されることなく、フィンガ３５によって取り込まれる。フェルールは、それゆえ、過大寸法にされる必要はない。燃焼室それ自体がＣＭＣから作られているときは、ＣＭＣからそれらフィンガを作ることを想定することさえ可能である。そのような状況のもとで、燃焼室に結合される場合に、フェルールをセクタ化すべきいかなる必要ももはや存在しないが、それらフェルールが、金属の内側および外側シュラウドに結合される場合、そのときはセクタ化が好ましいかもしれない。
【００３８】
ネジ２５および２７は、特に、結合フェルールが金属から作られているときには、金属から作られていても良く、そうでなければ、それらがＣＭＣから作られていても良い。
【００３９】
図４は、図１から図３とは異なる他の実施形態を示しており、そこでは空間３３の下流側端部が、ストリップガスケット３７’を用いてシーリングされ、且つリング２４は、フィンガ３５’によって回転が防止され、フィンガ３５’は、ガスケット３７’の外側に設置され、且つセクタ化されたフランジ２８に形成された長円の止まり孔部２８’ａ内に入り込む。その先端において、フランジは、ストリップガスケット３７’のベースがピン３７’ａによって保持されている環状ハウジング２８’ｂを有している。環状ハウジング２８’ｂの外側において、ストリップガスケット３７’は、フランジ３６の上流側面に形成された連続環状リブ３６’ａを押圧している。
【００４０】
図５は、図１から図３とは異なるその他の実施形態を示しており、そこではノズル２０は、外側リング２６をも介して回転が防止されている。
【００４１】
有利には、フランジ４５に形成された孔部４５ｂ内にピンが入り込むように、それらを下流側に延長することによって、ピン３８ａがこの目的のために使用される。ピン３８ａは、任意に過大寸法される、すなわちシーリングガスケット３８を保持するために単に必要とされる直径よりも大きな直径とされても良い。
【００４２】
ノズルの内側および外側プラットフォームの両者において回転に対するロックが提供される図５の実施形態は、ノズルと金属シュラウドとの間で伝達される力が、シュラウドの間で共有されるようにすることを可能にするという点で有利である。
【００４３】
ノズルが回転するのを防止するために、内側プラットフォームに関して図４に示された実施形態において使用されたのと同様のアセンブリ、すなわちフランジ４５によって支持され且つフランジ２６における止まり孔部に入り込むロックフィンガ、を外側プラットフォームにおいて採用することも可能であることは言うまでもない。
【図面の簡単な説明】
【００４４】
【図１】ガスタービンの一部分を示す概略的軸方向半断面図である。
【図２】燃焼室の下流側端部部分が高圧タービンノズルと共にどのように組み立てられるかを示し、且つ図１のガスタービンにおいて使用されるような結合フェルールを示す破砕斜視図である。
【図３】燃焼室の下流側端部部分が高圧タービンノズルと共にどのように組み立てられるかを示し、且つ図１のガスタービンにおいて使用されるような結合フェルールを示す破砕斜視図である。
【図４】高圧タービンノズルが回転するのを防止する方法を示す詳細図である。
【図５】高圧タービンノズルが回転するのを防止する方法を示す詳細図である。
【符号の説明】
【００４５】
１０  環状燃焼室
１１  軸線
１２  内側環状壁部
１２ａ  下流側端部部分
１２ｄ、１３ｄ  段差
１３  外側環状壁部
１３ａ  端部部分
１４  上流側端部壁部
２０  高圧タービンノズル
２１  エアフォイル
２２、２３  プラットフォーム
２４  内側リング
２４ａ、２６ａ  突出部
２５、２７  結合ネジ
２６  外側リング
２８、２９、３１ａ、３２ａ、３６、４１ａ、４２ａ、４５  フランジ
２８ａ、２９ａ  セクタ
２８’ｂ、２９ｂ  ハウジング
３０、４０  金属シュラウド
３１、３２、４１、４２  部分
３３、４３  空間
３５、３５’  フィンガ
３７、３８、３７’  ガスケット
３６’ａ、４５ａ  環状リブ
３８ａ  ピン
５０、６０  結合フェルール
５１、５２、６１、６２  端部
５２ａ、６２ａ  タブ
５２ｂ、６２ｂ  スロット
２８’ａ、５４、６４  孔部
【図１】
2006002764.tif 000003
【図２】
2006002764.tif 000004
【図３】
2006002764.tif 000005
【図４】
2006002764.tif 000006
【図５】
2006002764.tif 000007
【外国語明細書】
2006002764.tif 000008
2006002764.tif 000009
2006002764.tif 000010
2006002764.tif 000011
2006002764.tif 000012
2006002764.tif 000013
2006002764.tif 000014
2006002764.tif 000015
2006002764.tif 000016
2006002764.tif 000017
2006002764.tif 000018
2006002764.tif 000019
2006002764.tif 000020
2006002764.tif 000021
2006002764.tif 000022
2006002764.tif 000023
2006002764.tif 000024
2006002764.tif 000025
2006002764.tif 000026
2006002764.tif 000027
2006002764.tif 000028